(57)【要約】【課題】より安価な費用で済む簡便な手段によって、予め基質に付着させた目的の海藻種苗以外の珪藻の付着を抑制しながら海藻種苗をより効率的かつ安定的に生育し得るとともに、停電等により上方からの散水が停止した場合にも適応可能な、使い勝手のよい海藻種苗の生産技術を提供する。【解決手段】水槽１内の培養水２の液面近傍に海藻の胞子や幼体を付着した基質３を保持し、その基質３に付着した胞子や幼体が水槽１内の培養水２と接触できるように構成するとともに、基質３の上方から培養水を散布する培養水散布手段５を設け、それらの水槽１内の培養水２と上方から散布される培養水とによって、珪藻の付着を抑制しながら目的の海藻種苗を効率的に生育する。【選択図】図１
2011030509.tif 000002
【特許請求の範囲】
【請求項１】
水槽内の培養水の水面近傍に海藻の胞子や幼体を付着した基質を保持し、その基質に付着した胞子や幼体が前記水槽内の培養水と接触し得るように構成するとともに、前記基質の上方から培養水を散布するように構成し、それらの水槽内の培養水と上方から散布される培養水とによって、珪藻の付着を抑制しながら前記基質に付着した胞子や幼体を生育することを特徴とする海藻種苗の生産方法。
【請求項２】
前記基質の上面を、水槽内の培養水の水面とほぼ同一面、又はその水面から下方へ２０ｍｍ以内に保持することを特徴とする請求項１に記載の海藻種苗の生産方法。
【請求項３】
内部に培養水を貯留する水槽と、その水槽内の培養水の水面近傍に配置される海藻の胞子や幼体を付着した基質と、その基質に付着した胞子や幼体に対して上方から培養水を散布する培養水散布手段を備え、それらの水槽内の培養水と上方から散布される培養水とによって、珪藻の付着を抑制しながら前記基質に付着した胞子や幼体を生育することを特徴とする海藻種苗の生産装置。
【請求項４】
前記基質として、発泡気泡性マットの上にガラスマットとポリエステル編地を順に積層して一体化した積層体を採用したことを特徴とする請求項３に記載の海藻種苗の生産装置。
【請求項５】
前記基質として、ガラスマットの上にポリエステル編地を積層して一体化した積層体を採用するとともに、フロートを付設して浮力を調整するように構成したことを特徴とする請求項３に記載の海藻種苗の生産装置。
【発明の詳細な説明】
【技術分野】
【０００１】
本発明は、藻場の造成などに提供するための海藻種苗の生産技術に関するものである。
【背景技術】
【０００２】
この種の海藻種苗を生産する方法として、海藻の胞子や幼体を基質に予め付着させ、その海藻の胞子や幼体が付着した基質を水槽内の海水などの培養水中に浸漬した状態で生育する方法が従来から知られている（特許文献１、２）。しかしながら、この従来の生育方法の場合には、海藻の胞子や幼体を付着させた基質を海水などの培養水中に浸漬させた状態に置いておくため、目的とする海藻種苗以外の単細胞性の珪藻が幼体などに付着しやすく、その珪藻が早く生育して本来の目的である海藻種苗の生存率を低下させたり、生長を阻害するといった厄介な問題があった。
【０００３】
そこで、前記従来方法の問題点を解決するため、海藻の幼体を付着させた基質を空中に保持しながら上方から海水などの培養水を散布して生育する方法も開発されている（特許文献３、４）。しかしながら、この従来の生育方法の場合には、停電などで培養水の散布が停止すると、海藻種苗の枯死につながるという致命的な問題があった。これを回避するため、無停電電源装置や停電時切替え電源装置などを備えるといった対応策も可能ではあるが、費用が嵩んで実用的ではないという困難な問題があった。
【先行技術文献】
【特許文献】
【０００４】
【特許文献１】特開２００４−９７００９号公報
【特許文献２】特開２００７−３３０１１９号公報
【特許文献３】特開昭６２−１５１１２４号公報
【特許文献４】特開昭６３−１９６２１５号公報
【発明の概要】
【発明が解決しようとする課題】
【０００５】
本発明は、上述の従来技術の問題点に鑑み、より安価な費用で済む簡便な手段によって、予め付着させた目的の海藻種苗以外の珪藻の付着を抑制しながら海藻種苗をより安定的に生育し得るとともに、停電等により上方からの散水が停止した場合にも適応可能な、使い勝手のよい海藻種苗の生産技術を提供することを目的とするものである。
【課題を解決するための手段】
【０００６】
ところで、幾多の実験の結果、海藻の胞子や幼体を付着させた基質を海水などの培養水中に沈下させておくと、前記幼体などに珪藻が付着しやすいという傾向があることが判っている。前記従来技術の場合も、基質を水面から５〜１０ｃｍ程度の深さに沈下させるという形態を採用していたため、珪藻が付着しやすいという傾向にあった。しかしながら、基質の上面の位置を培養水の水面近傍、望ましくは水面から下方へ２０ｍｍ以内に保持されるように配置すれば、珪藻の付着は抑制され、実用上の問題は解消されることが実験的に確認されている。
【０００７】
本発明は、この点を活用して培養水の散水による海藻種苗生育技術と組合わせることにより前記課題を解決したものであり、水槽内の培養水の水面近傍に海藻の胞子や幼体を付着した基質を保持し、その基質に付着した胞子や幼体が前記水槽内の培養水と接触できるように構成するとともに、前記基質の上方から培養水を散布するように構成し、それらの水槽内の培養水と上方から散布される培養水とによって、珪藻の付着を抑制しながら前記基質に付着した胞子や幼体を効率的に生育することを特徴とする。本発明によれば、海藻の胞子や幼体を付着した基質を水槽内の培養水の水面近傍に保持するようにしたので珪藻の付着が抑制される。しかも、基質に付着した海藻の胞子や幼体に対して水槽内の培養水が常時接触しているので、停電等により上方からの散水が停止した場合にも枯死することなく、その散水の再開まで実用的に問題のない少ないダメージで凌ぐことができる。
【０００８】
前記基質の保持位置に関しては、その基質の上面が水槽内の培養水の水面とほぼ同一面、又はその水面から下方へ２０ｍｍ以内に保持するように設定すれば、珪藻の付着をより効果的に抑制しながら、水槽内の培養水を基質に付着した海藻の胞子や幼体により的確に与えることができる。ところで、基質が水槽内の培養水の水面に浮いた状態にある場合には、水面の変動に伴って基質の上面の位置も上下方向に変動することになるので、その上面の位置が平均的にみて前記範囲内に保持されるものであればよい。因みに、前記基質を培養水に対する良好な吸水性を備えた素材から構成すれば、その基質の上面が培養水の水面を多少超えても基質に付着した胞子や幼体に対する培養水の供給に影響はない。
【０００９】
さらに、前記基質を水槽内の培養水の水面近傍に位置させるための手段としては種々の形態が可能である。例えば、基質自体の浮力が大きい場合には、基質に対して適度の重りを付設することにより、基質の浮遊状態を調整することが可能であり、逆に基質の浮力が足りない場合には、適度の浮力のあるフロートを基質に対して付設することにより対応することが可能である。また、基質自体の比重をほぼ１に設定して、培養水の水面近傍に浮かせる形態も可能である。因みに、以上の基質を培養水の水面近傍に浮かせる種々の形態において、その基質の水平方向の浮動範囲を規制するための手段を付設してもよいことはいうまでもない。さらに、培養水の水面制御の精度上の問題がなければ、基質を浮かせる形態ではなく、水槽側に固定された支持手段を介して基質を水面近傍に支持する形態の採用も可能である。
【発明の効果】
【００１０】
本発明によれば、次の効果を得ることができる。
（１）海藻の胞子や幼体を付着した基質を水槽内の培養水の水面近傍に保持した状態で上方から培養水を散布するように構成したので、その基質に付着した幼体等に珪藻がさらに付着して、目的の海藻種苗の生存率を低下させたり生長を阻害するといった障害を抑制することができる。
（２）また、前記基質に付着した海藻の胞子や幼体には、水槽内の培養水と上方から散布される培養水とが与えられるので、より効率的で安定した生育が可能である。
（３）しかも、停電等により上方からの散水が停止した場合にも、基質に付着した海藻の胞子や幼体は水槽内の培養水と接触し得るので、散水の再開まで枯死することなく、実用的に問題のない少ないダメージで凌ぐことができる。
【図面の簡単な説明】
【００１１】
【図１】本発明の実施例の要部を示した斜視図である。
【図２】本発明の第１実施例に係る基質組立体を示した平面図である。
【図３】図２に示した基質組立体のＡ−Ａ断面図である。
【図４】前記基質組立体の適用状態を示した状態説明図である。
【図５】基質単体を示した平面図である。
【図６】図５に示した基質単体のＢ−Ｂ拡大断面図である。
【図７】重りを付設した第１実施例の変形例を示した断面図である。
【図８】本発明の第２実施例に係る基質組立体を示した平面図である。
【図９】図８に示した基質組立体のＣ−Ｃ断面図である。
【図１０】前記基質組立体の適用状態を示した状態説明図である。
【図１１】前記基質組立体を構成する基質単体の拡大断面図である。
【図１２】生育後の海藻種苗の適用状態を例示した斜視図である。
【発明を実施するための形態】
【００１２】
本発明は、アカモク等のホンダワラ類、ワカメ、コンブ、アラメ類など、種々の種類の海藻種苗の生産に広く適用することが可能である。本発明の要部は、内部に培養水を貯留する水槽と、その水槽内の培養水の水面近傍に配置される海藻の胞子や幼体を付着した基質と、その基質に付着した胞子や幼体に対して上方から培養水を散布する培養水散布手段とから構成される。なお、ホンダワラ類の場合には、胞子に代わるものとして幼胚となる。そして、基質に付着した目的の海藻の胞子や幼体に対して、水槽内の培養水と上方から散布される培養水を与えることによって、珪藻の付着を抑制しながら前記基質に付着した胞子や幼体を効率的に生育する点で特徴を有する。すなわち、水槽内の培養水の水面近傍において基質に付着した胞子や幼体に培養水を供給する形態を採用した結果、それらの幼体などに余計な珪藻が付着する問題は殆ど回避することができる。さらに、その水槽内の培養水の水面近傍での培養水の供給に加えて、上方からの散水によっても培養水が与えられるので、海藻種苗のより効率的で安定した生育が可能である。しかも、停電等により上方からの散水が停止した場合にも、基質に付着した海藻の胞子や幼体には、水槽内の水面近傍の培養水が常時与えられることから、海藻種苗が枯死したり大きなダメージを受けたりする事態は回避することが可能である。
【実施例１】
【００１３】
図１は本発明の実施例の要部を示した斜視図である。図中１は水槽で、内部には海水等からなる適宜の培養水２が貯留されている。この水槽１に貯留された培養水２の水面には、目的の種類の海藻の胞子や幼体を予め付着させた基質３の単体を複数個組合わせて形成した基質組立体４が浮いた状態に置かれ、水面近傍の培養水２が各基質３に付着した胞子や幼体に接触し得るように構成されている。また、基質組立体４の上方には同様の海水等からなる適宜の培養水を散布する適宜の培養水散布手段５が配設されている。なお、培養水散布手段５から散布される培養水として、水槽１に貯留される培養水２と異なる種類の培養水を採用することも可能である。しかして、海藻種苗の生育に当っては、目的の海藻の胞子や幼体を付着させた基質３を、必要に応じて水槽１内の静水状態の培養水２中にしばらく置いて、発芽、生育させた上で、培養水散布手段５により上から培養水の散布を実施することになる。これにより、各基質３に対して仮根が伸張してしっかりと付着した生育中の幼体は、その周辺から水槽１に貯留された培養水に接触するとともに、上方からは培養水散布手段５から散布される培養水が供給されるので、幼体の葉の部分に対して充分な培養水２がゆきわたり、効率的で安定した海藻種苗の生育が可能となる。
【００１４】
図２は第１実施例に係る前記基質組立体を示した平面図であり、図３はその基質組立体のＡ−Ａ断面図である。図示のように、本実施例に係る前記基質組立体４は、複数個の単体の基質３を並列に詰めた状態に並べ、それらの各基質３の両端部を端部保持部材６，７により保持した状態において、計６組のボルト８とナット９からなる固着手段を用いて固定することにより、矩形状に一体的に形成した場合を例示したものである。なお、それらの端部保持部材６，７の片側に形成するボルト挿通孔１０，１１は、前記ボルト８を位置調整可能に挿通するために長孔状のルーズ孔としている。因みに、並列に並べた各基質３の相互間に適宜の隙間を設けることも可能である。
【００１５】
図４は前記基質組立体４の適用状態を示した状態説明図である。図示のように、本実施例の基質組立体４は、それ自体の浮力によって水槽１内の培養水２の水面１２に浮いた状態で適用される形態を例示したものである。因みに、その基質組立体４の水面に浮いた状態に関しては、基質組立体４を構成する基質３の上面が培養水２の水面１２とほぼ同一面か、又は下方へ２０ｍｍ以内に保持されるように調整することが、基質３に付着された海藻の胞子や幼体への良好な培養水２の供給、及び幼体等に対する珪藻の付着を抑制するうえで望ましい。
【００１６】
図５は前記基質組立体４を構成する基質３の単体を示した平面図である。図示のように、本実施例に係る単体としての基質３は、細長い矩形状からなる板状に形成され、一端部には前記ボルト８を挿通するための円形のボルト挿通孔１３、他端部にはボルト８を位置調整可能に挿通するための長孔状のボルト挿通孔１４が形成されている。また、図６の拡大断面図で示したように、本実施例の基質３では、発泡気泡性マット１５の上にガラス繊維をフェルト状に加工したガラスマット１６と、ポリエステル繊維を用いて形成した海藻の付着がよい凹凸のあるポリエステル編地１７を順に積層し、それらを不飽和ポリエステル樹脂の含浸固化により一体化した積層体を基質単体として採用した場合を例示したものである。そして、この基質３の比重は、培養水２より若干小さく、図４に示したようにそれ自体の浮力により前記培養水２の水面１２に浮くように設定される。なお、当該基質３の比重が更に小さく、その基質３の上面の高さが前記培養水２の水面１２を大きく超えてしまう場合には、図７に例示したように適度の重り１８を付設して調整することが可能である。
【実施例２】
【００１７】
図８は第２実施例に係る基質組立体を示した平面図であり、図９はその基質組立体のＣ−Ｃ断面図である。図示のように、本実施例に係る基質組立体１９は、複数個の単体の基質２０を並列に詰めた状態に並べ、それらの各基質２０の両端部を端部保持部材２１，２２により保持した状態において、計６組のボルト２３とナット２４からなる固着手段を用いて固定することにより、矩形状に一体的に形成した点おいて前記第１実施例と同じである。その特徴とするところは、本実施例に係る基質組立体１９では比重が１より大きい基質２０を採用しており、そのままでは培養水２の中に沈下してしまうため、図示のように、基質組立体１９の四隅にフロート２５を付設して浮力を調整するように構成した点である。なお、前記端部保持部材２１，２２の片側に形成するボルト挿通孔２６，２７は、前記ボルト２３を位置調整可能に挿通するために長孔状のルーズ孔としている。因みに、並列に並べた各基質１９の相互間に適宜の隙間を設けることも可能である。
【００１８】
図１０は前記基質組立体１９の適用状態を示した状態説明図である。図示のように、本実施例の基質組立体１９は、その基質組立体１９自体の浮力と四隅に付設した前記フロート２５の浮力により、水槽１内の培養水２の水面１２に浮いた状態で適用される形態を例示したものである。因みに、その基質組立体１９の水面に浮いた状態に関しては、適度の浮力のフロート２５を選定して付設することにより、基質組立体１９を構成する基質２０の上面が培養水２の水面１２とほぼ同一面か、又は下方へ２０ｍｍ以内に保持されるように調整することが、基質３に付着された海藻の胞子や幼体への良好な培養水２の供給、及び幼体等に対する珪藻の付着を抑制するうえで望ましい。
【００１９】
図１１は前記基質組立体１９を構成する基質２０の単体の断面を示した拡大断面図である。ところで、本実施例に係る単体としての基質２０は、図５の平面図に示した前記第１実施例の基質３と同様に、細長い矩形状からなる板状に形成され、一端部には前記ボルト２３を挿通するための円形のボルト挿通孔、他端部にはボルト２３を位置調整可能に挿通するための長孔状のボルト挿通孔が形成されている。そして、本実施例の基質２０は、図１１に示したように、ガラス繊維をフェルト状に加工したガラスマット２８の上にポリエステル繊維を用いて形成した海藻の付着がよい凹凸のあるポリエステル編地２９を積層し、それらを不飽和ポリエステル樹脂の含浸固化により一体化した積層体を基質単体として採用した場合を例示したものである。しかして、本実施例の基質２０の場合には、その基質単体としての浮力だけでは培養水２の中に沈下してしまうため、上述のように、基質組立体１９の四隅に適度の浮力のフロート２５を付設して、基質２０の上面が培養水２の水面１２とほぼ同一面か、又は下方へ２０ｍｍ以内に保持されるように調整することになる。
【００２０】
以上のようにして、目的の海藻種苗の生育が完了した場合には、前記基質組立体４，１９から基質３，２０を取外し、それらの基質３，２０を、例えば図１２に例示したように適宜形状の礁３０の表面に対して水中ボンドなどを用いて接着することにより、良質の海藻種苗として藻場の造成などに提供することができる。さらに、天然岩礁や人工施設へ基質３，２０を固定するようにしてもよいし、母藻として育成し、その幼胚や胞子などを供給して藻場造成に用いることも可能である。因みに、生育後の海藻種苗の適用形態に関しては、上述のように基質３，２０に付着されたままの状態で礁３０等に適用する形態だけでなく、それらの基質３，２０から海藻種苗を取外した状態で礁３０等に適用する形態も可能であることはいうまでもない。
【符号の説明】
【００２１】
１：水槽、２：培養水、３：基質、４：基質組立体、５：培養水散布手段、６，７：端部保持部材、８：ボルト、９：ナット、１０，１１：ボルト挿通孔、１２：水面、１３，１４：ボルト挿通孔、１５：発泡気泡性マット、１６：ガラスマット、１７：ポリエステル編地、１８：重り、１９：基質組立体、２０：基質、２１，２２：端部保持部材、２３：ボルト、２４：ナット、２５：フロート、２６，２７：ボルト挿通孔、２８：ガラスマット、２９：ポリエステル編地、３０：礁
【図１】
2011030509.tif 000003
【図２】
2011030509.tif 000004
【図３】
2011030509.tif 000005
【図４】
2011030509.tif 000006
【図５】
2011030509.tif 000007
【図６】
2011030509.tif 000008
【図７】
2011030509.tif 000009
【図８】
2011030509.tif 000010
【図９】
2011030509.tif 000011
【図１０】
2011030509.tif 000012
【図１１】
2011030509.tif 000013
【図１２】
2011030509.tif 000014